(57)【特許請求の範囲】
【請求項１】
本体ケース１の背面壁５の外側面上に、情報記録カード６・１１を各記録表示面６ａ・１１ａが外部に露出するよう収納する２個の凹溝７・７を左右に横一列に並べて設け、左側の凹溝７の左側端に、右側の凹溝７の右側端に、それぞれカード差し入れ口９を設けているテープカートリッジであって、
一方の凹溝７内のカード差し入れ口９の近傍位置に、情報記録カード６の差し入れは許すが、抜き出しは規制する抜き出し規制手段１０を備え、他方の凹溝７は抜き出し規制手段１０を備えないで、カード差し入れ口９を介して情報記録カード１１の差し入れ、抜き出しを自由自在となっており、
抜き出し規制手段１０が、凹溝７の一部に設けた切欠１２と、切欠１２に出没するよう設けられた弾性突起１４とを含み、
背面壁５に、弾性突起１４を覆う覆い壁片１８が設けられているテープカートリッジ。
【請求項２】
情報記録カード６または情報記録カード１１の一方がＩＣカードからなる請求項１記載のテープカートリッジ。
【請求項３】
凹溝７が断面Ｔ形に形成されて外側に臨む幅狭溝部７ａと、この幅狭溝部７ａの内奥に連通形成される幅広溝部７ｂとを有している請求項１記載のテープカートリッジ。
【請求項４】
抜き出し規制手段１０が、凹溝７の幅広溝部７ｂの一部に設けた切欠１２から幅広溝部７ｂ内に出没するよう設けられた弾性突起１４で構成されている請求項３記載のテープカートリッジ。
【請求項５】
弾性突起１４がプラスチック製の本体ケース１に一体に形成されている請求項４記載のテープカートリッジ。
【請求項６】
弾性突起１４のカード差し入れ口９に面する一側面にテーパ１５を、凹溝７内の情報記録カード６に面する他側面に規制面１６をそれぞれ設けてある請求項５記載のテープカートリッジ。  
【発明の詳細な説明】
【０００１】
【発明の属する技術分野】
本発明は、データカートリッジなどのテープカートリッジに関する。
【０００２】
【従来の技術】
例えば、データカートリッジでは、オートローダ等で使用するために、カートリッジの個体情報を表示するバーコード等の機械で判別可能な識別記号や、使用者が目視で確認するための内容表示などの情報記録カードが要求される。かかる情報記録カードをデータカートリッジの外側面上に備え付ける手段として、貼り付け方式と、外側面上の凹溝への差し込み収納方式とがある。
【０００３】
【発明が解決しようとする課題】
しかるに、貼り付け方式によれば２種類以上の情報記録カードの備え付けも可能であるが、経時的に剥がれたり、浮くことがある。とくに、オートローダ等で自動装填するときは情報記録カードの浮きは大問題になる。その点、差し込み収納方式によれば、かかる浮き問題が無くてオートローダ等にも支障なく使用できる。この差し込み収納方式は、図６および図７に示すごとく本体ケース１の外側面に凹溝７を設け、情報記録カード６をカード差し入れ口９から差し込んで凹溝７内に収納するようになっている。しかし、最大の難点は１枚の情報記録カード６しか収納できない点である。また情報記録カード６に表示される内容がオートローダ等で判別可能な識別記号などデータカートリッジ固有の表示である場合は、使用者が勝手に取り出しできないことが望まれるが、図６に示されるデータカートリッジでは情報記録カード６を凹溝７から自由に取り出しできるため、使用者が誤って情報記録カード６を取り出してしまうという問題があった。
【０００４】
本発明の目的は、上記のような差し込み収納方式を採用するが、２種類の情報記録カードの収納を可能にするテープカートリッジを提供することにある。本発明の目的は、使用者によって勝手に取り出されては困るカートリッジ固有の情報を表示した情報記録カードと、使用者による自由な出し入れが要求される情報記録カードの二種類を収納可能にしたテープカートリッジを提供することにある。
【０００５】
【課題を解決するための手段】
本発明のテープカートリッジは、図１に示すごとく本体ケース１の同一外側面上に、情報記録カード６・１１を各記録表示面６ａ・１１ａが外部に露出するよう収納する２個の凹溝７・７を横一列に並べて設け、各凹溝７の長手方向一端にカード差し入れ口９を設けたものである。
一方の凹溝７内のカード差し入れ口９の近傍位置には、情報記録カード６の差し入れは許すが、抜き出しは規制する抜き出し規制手段１０を備え、他方の凹溝７はカード差し入れ口９を介して情報記録カード１１の差し入れ、抜き出しを自由自在とする。
【０００６】
より具体的には、上記抜き出し規制手段１０は、断面Ｔ形の凹溝７の内部に設けた切欠１２から凹溝７内に出没するよう設けられた弾性突起１４で構成する。弾性突起１４はプラスチック製の本体ケース１に一体に形成する。弾性突起１４のカード差し入れ口９に面する一側面にはテーパ１５を、凹溝７内の情報記録カード６に面する他側面に規制面１６をそれぞれ設ける。
【０００７】
【作用】
本体ケース１の凹溝７・７には、２種類の情報記録カード６・１１をそれぞれ各カード差し入れ口９から差し入れることで、両者を分離独立状態に収納できる。２個の凹溝７・７は本体ケース１の同一外側面上に２個並べて設けることで、テープカートリッジの小型化に寄与できる。
抜き出し規制手段１０を備えた凹溝７内に差し込まれた情報記録カード６は抜き出し規制されるので、使用者が勝手に情報記録カード６を凹溝７から取り出すのを防止できる。
【０００８】
【発明の実施の形態】
図１ないし図５は本発明に係るテープカートリッジの一実施例を示す。図１は単一リール型のデータカートリッジを示しており、角箱状の本体ケース１の内部に単一のリール２を可回転に収容し、リール２にテープ３を巻回している。テープ３はこれの巻終端側に引き出し操作するための連結具（図示省略）を備えていて、本体ケース１の正面壁４の開閉自在なローディング開口から外部へ引き出し可能にしている。
【０００９】
本体ケース１の背面壁５の外側面には、オートローダ等で識別するためのカートリッジ固有のバーコード等の識別記号などを表示した情報記録カード６をこれの記録表示面６ａが露出するよう収納するための凹溝７と、使用者が目視で確認できる内容表示等を記した情報記録カード１１をこれの記録表示面６ａが露出するよう収納するための凹溝７とを左右に並べて設けている。左右の各凹溝７は、図３に示すごとく共に断面Ｔ形に形成して外側に臨む幅狭溝部７ａと、この幅狭溝部７ａの内奥に連通形成される幅広溝部７ｂとを有する。幅狭溝部７ａの上下幅は情報記録カード６・１１の上下幅よりも少し狭く設定し、この幅狭溝部７ａから情報記録カード６・１１の記録表示面６ａ・１１ａを露出させる。幅広溝部７ｂの上下幅は情報記録カード６・１１の上下幅より僅かに広い幅に設定して、この幅広溝部７ｂに沿って情報記録カード６・１１を摺動自在とする。
【００１０】
図上において左側の凹溝７はこれの左側端に、右側の凹溝７はこれの右側端に、それぞれカード差し入れ口９を各幅広溝部７ｂに向けて下り傾斜して該幅広溝部７ｂと連通するよう設ける。そして、一方の凹溝７、図上において左側の凹溝７内のカード差し入れ口９の近傍位置には情報記録カード６の抜き出し規制手段１０を備えて、情報記録カード６の差し入れは許すが、抜き出しは規制するものとする。図上において右側の凹溝７には前記抜き出し規制手段１０を備えないで、他の情報記録カード１１の差し入れ、抜き出しを自在とする。
【００１１】
上記抜き出し規制手段１０は、図４および図５（ａ）に示すように、凹溝７の幅広溝部７ｂの内部に切欠１２を設ける一方、本体ケース１に細いアーム１３を片持ち状に一体形成し、このアーム１３の先端に一体に設けた弾性突起１４をアーム１３の弾性作用で前記切欠１２から幅広溝部７ｂ内に出没自在とする。弾性突起１４のカード差し入れ口９に面する一側面にはテーパ１５を、凹溝７内の情報記録カード６に面する他側面に直壁状の規制面１６をそれぞれ設ける。図示例では前記切欠１２が本体ケース１の上ケース１ａの内壁１９に形成され、弾性突起１４を有するアーム１３が下ケース１ｂの内壁２０に切込溝１７を介して上向きに突設され、上下ケース１ａ・１ｂを突き合わせると、弾性突起１４が切欠１２内に組み込まれる。上ケース１ａの背面壁５には、弾性突起１４が外部から見えないように該弾性突起１４を覆う覆い壁片１８を垂設している。この覆い壁片１８は下ケース１ｂに付設することもできる。
【００１２】
しかるときは、図５（ａ）に示すごとく情報記録カード６をカード差し入れ口９から凹溝７に押し込むと、その情報記録カード６の差し込み側始端６ｂが弾性突起１４のテーパ１５に当接し、更に押し込むと、情報記録カード６の差し込み側始端６ｂがテーパ１５上を滑り、図５（ｂ）に示すごとくその押し込み力の分力でアーム１３の弾性突起１４がその弾性力に抗して切欠１２に没入するため、情報記録カード６は弾性突起１４を没入させたまま凹溝７内に奥深く差し込まれてゆく。情報記録カード６の終端６ｃが図５（ｃ）に示すごとく弾性突起１４の上を通過するや否や情報記録カード６は凹溝７に完納され、同時に情報記録カード６の終端６ｃが弾性突起１４から外れて弾性突起１４が弾性復帰力で凹溝７内に突出復帰する。これにより情報記録カード６は弾性突起１４の規制面１６でカード差し入れ口９方向への移動が規制され、使用者によって勝手に抜き出されるのを防止できる。弾性突起１４が覆い壁片１８で覆われていると、使用者による情報記録カード６の抜き出し防止効果を一層高めることができる。
【００１３】
情報記録カード６または１１の一方はＩＣカードで構成することができる。
上記実施例では弾性突起１４を下ケース１ｂに、切欠１２を上ケース１ａにそれぞれ形成するが、それとは逆に切欠１２を下ケース１ｂに、弾性突起１４を上ケース１ａにそれぞれ形成することもできる。弾性突起１４は本体ケース１と一体に形成すれば、かかる弾性突起１４の組み付け手数を省略できて有利であるが、必ずしもこれに限定されず、本体ケース１とは別体に構成し、これを凹溝７内に組み込むものであってもよい。
【００１４】
【発明の効果】
本発明のテープカートリッジによれば、２種類の情報記録カード６・１１を剥がれや浮き問題なく、収納できて便利である。一方の抜き出し規制手段１０を備えた凹溝７には、使用者によって勝手に取り出されては困る情報記録カード６を収納することで、オートローダー等にも好適に使用できる。
【図面の簡単な説明】
【図１】本発明の一実施例を示すテープカートリッジの斜視図である。
【図２】図１のテープカートリッジの要部の斜視図である。
【図３】図２におけるＡ−Ａ線断面図である。
【図４】図２に示す要部の分解斜視図である。
【図５】図１のテープカートリッジの情報記録カードの差し込み動作図である。
【図６】従来例のテープカートリッジの斜視図である。
【図７】図７のテープカートリッジの情報記録カード収納用の凹溝の断面図である。
【符号の説明】
１  本体ケース
６・１１  情報記録カード
７  凹溝
９  カード差し入れ口
１０  抜き出し規制手段
１２  切欠
１４  弾性突起
１５  テーパ
１６  規制面
【図１】
0003658494.tif 000002
【図２】
0003658494.tif 000003
【図３】
0003658494.tif 000004
【図４】
0003658494.tif 000005
【図５】
0003658494.tif 000006
【図６】
0003658494.tif 000007
【図７】
0003658494.tif 000008